(57)【要約】【課題】既存のインバータ方式の蛍光管用照明器具に装着して使用可能な発光ダイオード照明装置を提供する。【解決手段】発光ダイオードを含む発光回路１０と、発光回路１０が内側に配置され、発光ダイオードの出射光が透過する照明カバー２００と、照明カバー２００の長手方向の一方の端部に配置された第１電極ピン４１及び第２電極ピン４２、及び他方の端部に配置された第３電極ピン４３及び第４電極ピン４４と、第１電極ピン４１と第３電極ピン４３間に印加された交流電力及び第２電極ピン４２と第４電極ピン４４間に印加された交流電力を直流電力に整流し、その直流電力を発光ダイオード１１〜１ｎに供給する第１の整流回路２１及び第２の整流回路２２と、第１電極ピン４１と第２電極ピン４２間に接続された第１のインピーダンス回路３１と、第３電極ピン４３と第４電極ピン４４間に接続された第２のインピーダンス回路３２とを備える。【選択図】図１
2009272154.tif 000002
【特許請求の範囲】
【請求項１】
インバータ方式の蛍光管用照明器具に装着可能な発光ダイオード照明装置であって、
発光ダイオードを含む発光回路と、
前記発光回路が内側に配置され、前記発光ダイオードの出射光が透過する照明カバーと、
前記照明カバーの長手方向の一方の端部に配置された第１及び第２電極ピン、及び前記照明カバーの長手方向の他方の端部に配置された第３及び第４電極ピンと、
前記第１電極ピンと前記第３電極ピン間に印加された交流電力及び前記第２電極ピンと前記第４電極ピン間に印加された交流電力を直流電力に整流し、該直流電力を前記発光ダイオードに供給する整流回路群と、
前記第１電極ピンと前記第２電極ピン間に接続された第１のインピーダンス回路と、
前記第３電極ピンと前記第４電極ピン間に接続された第２のインピーダンス回路と
を備えることを特徴とする発光ダイオード照明装置。
【請求項２】
前記整流回路群が、
前記第１電極ピンに接続する第１の交流端子、前記第２電極ピンに接続する第２の交流端子、前記発光ダイオードのアノードに接続する第１の直流端子、及び前記発光ダイオードのカソードに接続する第２の直流端子を有する整流ブリッジダイオードからなる第１の整流回路と、
前記第３電極ピンに接続する第３の交流端子、前記第４電極ピンに接続する第４の交流端子、前記発光ダイオードのアノードに接続する第３の直流端子、及び前記発光ダイオードのカソードに接続する第４の直流端子を有する整流ブリッジダイオードからなる第２の整流回路と
を備えることを特徴とする請求項１に記載の発光ダイオード照明装置。
【請求項３】
前記第１の整流回路が、
アノードが前記第１の交流端子に接続し、カソードが前記第１の直流端子に接続する第１のダイオードと、
アノードが前記第２の交流端子に接続し、カソードが前記第１の直流端子に接続する第２のダイオードと、
アノードが前記第２の直流端子に接続し、カソードが前記第１の交流端子に接続する第３のダイオードと、
アノードが前記第２の直流端子に接続し、カソードが前記第２の交流端子に接続する第４のダイオードと
を備え、
前記第２の整流回路が、
アノードが前記第３の交流端子に接続し、カソードが前記第３の直流端子に接続する第５のダイオードと、
アノードが前記第４の交流端子に接続し、カソードが前記第３の直流端子に接続する第６のダイオードと、
アノードが前記第４の直流端子に接続し、カソードが前記第３の交流端子に接続する第７のダイオードと、
アノードが前記第４の直流端子に接続し、カソードが前記第４の交流端子に接続する第８のダイオードと
を備えることを特徴とする請求項２に記載の発光ダイオード照明装置。
【請求項４】
前記発光回路が、直列接続された複数の発光ダイオードを有することを特徴とする請求項１乃至３のいずれか１項に記載の発光ダイオード照明装置。
【請求項５】
前記第１及び第２のインピーダンス回路の回路インピーダンスが、前記蛍光管用照明器具の出力する高周波交流電力の周波数に応じて設定されることを特徴とする請求項１乃至４のいずれか１項に記載の発光ダイオード照明装置。
【請求項６】
前記第１及び第２のインピーダンス回路が、インダクタと抵抗とを直列接続した構成を有することを特徴とする請求項１乃至５のいずれか１項に記載の発光ダイオード照明装置。
【発明の詳細な説明】
【技術分野】
【０００１】
本発明は、発光ダイオードを光源とする発光ダイオード照明装置に関する。
【背景技術】
【０００２】
近年、蛍光灯等に代えて発光ダイオード（ＬＥＤ）を光源とする照明装置の実用化が進められている。発光ダイオードを光源とすることにより、蛍光灯を使用する場合に比べて長寿命、省エネルギー等の効果が得られる。
【０００３】
特に、発光ダイオードを用いた発光ダイオード照明装置を蛍光管の代わりに既存の蛍光管用照明器具に取り付けることができれば、蛍光管用照明器具の改造等が不要になり、既存の設備をそのまま使用することができる（例えば、特許文献１参照。）。ここで、蛍光管用照明器具とは、蛍光管を支持し、かつ蛍光管に電力を供給する電源として機能する器具である。
【特許文献１】特開２００４−１９２８３３号公報
【発明の開示】
【発明が解決しようとする課題】
【０００４】
しかしながら、特許文献１に記載された構成の発光ダイオード照明装置を既存のインバータ方式の蛍光管用照明器具に取り付けた場合、インバータ回路が正常に動作せず、発光ダイオードが発光しないという問題があった。これは、インバータ回路が正常に動作するための共振回路が構成されないためである。
【０００５】
上記問題点を鑑み、本発明は、既存のインバータ方式の蛍光管用照明器具に装着して使用可能な発光ダイオード照明装置を提供することを目的とする。
【課題を解決するための手段】
【０００６】
本発明の一態様によれば、インバータ方式の蛍光管用照明器具に装着可能な発光ダイオード照明装置であって、（イ）発光ダイオードを含む発光回路と、（ロ）発光回路が内側に配置され、発光ダイオードの出射光が透過する照明カバーと、（ハ）照明カバーの長手方向の一方の端部に配置された第１及び第２電極ピン、及び照明カバーの長手方向の他方の端部に配置された第３及び第４電極ピンと、（ニ）第１電極ピンと第３電極ピン間に印加された交流電力及び第２電極ピンと第４電極ピン間に印加された交流電力を直流電力に整流し、その直流電力を発光ダイオードに供給する整流回路群と、（ホ）第１電極ピンと第２電極ピン間に接続された第１のインピーダンス回路と、（ヘ）第３電極ピンと第４電極ピン間に接続された第２のインピーダンス回路とを備える発光ダイオード照明装置が提供される。
【発明の効果】
【０００７】
本発明によれば、既存のインバータ方式の蛍光管用照明器具に装着して使用可能な発光ダイオード照明装置を提供できる。
【発明を実施するための最良の形態】
【０００８】
次に、図面を参照して、本発明の実施形態を説明する。以下の図面の記載において、同一又は類似の部分には同一又は類似の符号を付している。ただし、図面は模式的なものであり、厚みと平面寸法との関係、各部の長さの比率等は現実のものとは異なることに留意すべきである。したがって、具体的な寸法は以下の説明を参酌して判断すべきものである。又、図面相互間においても互いの寸法の関係や比率が異なる部分が含まれていることはもちろんである。
【０００９】
又、以下に示す実施形態は、この発明の技術的思想を具体化するための装置や方法を例示するものであって、この発明の技術的思想は、構成部品の形状、構造、配置等を下記のものに特定するものでない。この発明の技術的思想は、特許請求の範囲において、種々の変更を加えることができる。
【００１０】
本発明の実施形態に係る発光ダイオード照明装置１は、インバータ方式の蛍光管用照明器具に装着可能な発光ダイオード照明装置であって、図１に示すように、発光ダイオード１１〜１ｎを含む発光回路１０と、発光回路１０が内側に配置され、発光ダイオード１１〜１ｎの出射光が透過する照明カバー２００と、照明カバー２００の長手方向の一方の端部に配置された第１電極ピン４１及び第２電極ピン４２、及び照明カバー２００の長手方向の他方の端部に配置された第３電極ピン４３及び第４電極ピン４４と、第１電極ピン４１と第３電極ピン４３間に印加された交流電力及び第２電極ピン４２と第４電極ピン４４間に印加された交流電力を直流電力に整流し、その直流電力を発光ダイオード１１〜１ｎに供給する第１の整流回路２１及び第２の整流回路２２と、第１電極ピン４１と第２電極ピン４２間に接続された第１のインピーダンス回路３１と、第３電極ピン４３と第４電極ピン４４間に接続された第２のインピーダンス回路３２とを備える。（ｎ：２以上の整数）。発光回路１０は発光ダイオード１１〜１ｎを直列接続した構造を有し、発光ダイオード１１のアノードは発光回路１０の入力端子Ｐ１０１に接続し、発光ダイオード１ｎのカソードは発光回路１０の出力端子Ｐ１０２に接続する。
【００１１】
図１に示した例では、基板１００上に発光回路１０、第１の整流回路２１、第２の整流回路２２、第１のインピーダンス回路３１、第２のインピーダンス回路３２が配置され、この基板１００は内側が空洞の筐体である照明カバー２００内に収納される。照明カバー２００の長手方向の一方の端部を構成する第１の端子部２１０に第１電極ピン４１及び第２電極ピン４２は配置される。また、照明カバー２００の長手方向の他方の端部を構成する第２の端子部２２０に第３電極ピン４３及び第４電極ピン４４は配置される。
【００１２】
図１に示すように、第１電極ピン４１〜第４電極ピン４４は、第１の端子部２１０及び第２の端子部２２０の端面を照明カバー２００の長手方向に貫通して配置される。つまり、第１電極ピン４１〜第４電極ピン４４の一端は、照明カバー２００の外側に露出して配置される。一方、第１電極ピン４１〜第４電極ピン４４の他端は照明カバー２００の内側に露出し、基板１００上に配置された発光回路１０、第１の整流回路２１、第２の整流回路２２、第１のインピーダンス回路３１、第２のインピーダンス回路３２等と電気的に接続される。なお、図１では第１の端子部２１０及び第２の端子部２２０が照明カバー２００の中央部分より長手方向に垂直な方向に幅が広い例を示したが、照明カバー２００の中央部分の方が広くてもよいし、照明カバー２００全体で同一の幅でもよい。
【００１３】
また、照明カバー２００の内側に露出した第１電極ピン４１又は第２電極ピン４２の端部の少なくともいずれか、及び第３電極ピン４３又は第４電極ピン４４の端部の少なくともいずれかを、それぞれ基板１００に固定し、これにより基板１００を照明カバー２００内に支持してもよい。或いは、他の方法により、例えば基板１００の周辺部を照明カバー２００の内側に接合する等の方法によって、基板１００を照明カバー２００内に支持するようにしてもよい。
【００１４】
図２に示すように発光ダイオード照明装置１を第１電極ピン４１〜第４電極ピン４４によって既存のインバータ方式の蛍光管用照明器具３００に装着可能なように、発光ダイオード照明装置１の外形寸法、即ち、長手方向の長さＷや幅Ｄ、及び第１電極ピン４１〜第４電極ピン４４の配置等は、従来の蛍光管と同じにする。例えば、照明カバー２００の外形寸法を日本工業規格（ＪＩＳ）により規定された蛍光管の外形寸法に合わせて設定する。特に、蛍光管用照明器具３００への取り付け部品である口金具に相当する第１の端子部２１０及び第２の端子部２２０の形状、構造は、従来の蛍光管の口金具と互換性を持たせる。蛍光管用照明器具３００の詳細については後述する。
【００１５】
図３に、第１の端子部２１０を透過して長手方向と垂直な面からみた発光ダイオード照明装置１の構造例を示す。ここで、発光ダイオード照明装置１は、例えば、口金具に想到する第１の端子部２１０及び第２の端子部２２０がＧ１３タイプであり照明カバー２００が直径φ２６の管形状である。なお、図３に示すように、基板１００の表面に配置された発光ダイオード１１〜１ｎ等から発生する熱を放出するために、表面に対向する基板１００の裏面にアルミニウム（Ａｌ）等からなる放熱板１１０を配置してもよい。
【００１６】
発光ダイオード照明装置１の照明カバー２００には、発光ダイオード１１〜１ｎの出射光が透過する材料を採用可能である。例えば、シリコン樹脂、アクリル樹脂、ポリカーボネート樹脂等により照明カバー２００は形成される。照明カバー２００は、基板１００上に配置された発光ダイオード１１〜１ｎ等を保護すると共に、発光ダイオード１１〜１ｎの出射光を拡散して発光ダイオード照明装置１の外部に出力する。このため、発光ダイオード１１〜１ｎからそれぞれ出射される指向性の高い光を、発光ダイオード照明装置１から広い面積に均一に照射できる。また、照明カバー２００に蛍光体を塗布することにより、発光ダイオード照明装置１からの出射光を所望の色彩に調整できる。照明カバー２００の外形は種々の形状が採用可能であり、例えば角柱形状であっても円筒形状であってもよい。
【００１７】
基板１００には、例えばアルミニウム板等のプリント基板が採用可能である。基板１００に形成された配線パターンやワイヤー配線等により、第１電極ピン４１〜第４電極ピン４４、発光回路１０、第１の整流回路２１、第２の整流回路２２、第１のインピーダンス回路３１、第２のインピーダンス回路３２が互いに電気的に接続される。
【００１８】
図１に示すように、第１の整流回路２１及び第２の整流回路２２は、それぞれ整流ブリッジダイオードである。
【００１９】
第１の整流回路２１は、ダイオードＤ２１１〜Ｄ２１４を有する。第１の整流回路２１は、ダイオードＤ２１１のカソードとダイオードＤ２１３のアノードとの接続点である交流端子ａｃ１１、及びダイオードＤ２１２のアノードとダイオードＤ２１４のカソードとの接続点である交流端子ａｃ１２に入出力される交流を、全波整流して出力する。整流された出力は、ダイオードＤ２１１のカソードとダイオードＤ２１２のカソードとの接続点である直流端子ｄｃ１１、及びダイオードＤ２１３のアノードとダイオードＤ２１４のアノードとの接続点である直流端子ｄｃ１２から供給される。なお、直流端子ｄｃ１１がプラス電位、直流端子ｄｃ１２がマイナス電位になる。
【００２０】
第１の整流回路２１の交流端子ａｃ１１は第１電極ピン４１に接続し、交流端子ａｃ１２は第２電極ピン４２に接続する。そして、直流端子ｄｃ１１は発光回路１０の入力端子Ｐ１０１に接続し、直流端子ｄｃ１２は発光回路１０の出力端子Ｐ１０２に接続する。
【００２１】
第２の整流回路２２は、ダイオードＤ２２１〜Ｄ２２４を有する。第２の整流回路２２は、ダイオードＤ２２１のアノードとダイオードＤ２２３のカソードとの接続点である交流端子ａｃ２１、及びダイオードＤ２２２のアノードとダイオードＤ２２４のカソードとの接続点である交流端子ａｃ２２に入出力される交流を、全波整流して出力する。整流された出力は、ダイオードＤ２２１のカソードとダイオードＤ２２２のカソードとの接続点である直流端子ｄｃ２１、及びダイオードＤ２２３のアノードとダイオードＤ２２４のアノードとの接続点である直流端子ｄｃ２２から供給される。なお、直流端子ｄｃ２１がプラス電位、直流端子ｄｃ２２がマイナス電位になる。
【００２２】
第２の整流回路２２の交流端子ａｃ２１は第３電極ピン４３に接続し、交流端子ａｃ２２は第４電極ピン４４に接続する。そして、直流端子ｄｃ２１は発光回路１０の入力端子Ｐ１０１に接続し、直流端子ｄｃ２２は発光回路１０の出力端子Ｐ１０２に接続する。
【００２３】
第１のインピーダンス回路３１及び第２のインピーダンス回路３２は、それぞれインダクタＬ１と抵抗Ｒ１を直列接続して構成される。つまり、第１のインピーダンス回路３１においては、インダクタＬ１の一端が第１電極ピン４１に接続し、他端が抵抗Ｒ１の一端に接続する。そして、抵抗Ｒ１の他端が第２電極ピン４２に接続する。同様に、第２のインピーダンス回路３２においては、インダクタＬ１の一端が第３電極ピン４３に接続し、他端が抵抗Ｒ１の一端に接続する。そして、抵抗Ｒ１の他端が第４電極ピン４４に接続する。
【００２４】
第１のインピーダンス回路３１及び第２のインピーダンス回路３２の回路インピーダンスＺが電子回路３２０の出力する高周波交流電力の周波数ｆにおいて所定のインピーダンス値になるように、周波数ｆに応じて第１のインピーダンス回路３１及び第２のインピーダンス回路３２は構成される。具体的には、蛍光管用照明器具３００に装着可能な蛍光管のフィラメントの周波数ｆにおけるインピーダンス値と同程度になるように、第１電極ピン４１及び第２電極ピン４２からみた第１のインピーダンス回路３１の回路インピーダンスＺ、及び第３電極ピン４３及び第４電極ピン４４からみた第２のインピーダンス回路３２の回路インピーダンスＺが設定される。例えば、電子回路３２０が出力する高周波交流電力の周波数が５０ｋＨｚの場合、第１のインピーダンス回路３１及び第２のインピーダンス回路３２の回路インピーダンスＺは、２．７〜３．３Ω程度に設定される。より具体的には、インダクタＬ１のインダクタンスは０．４〜１．０μＨ程度、抵抗Ｒ１の抵抗値は２．７〜３．３Ω程度である。
【００２５】
なお、図１にはインダクタＬ１と抵抗Ｒ１が直列接続されて第１のインピーダンス回路３１及び第２のインピーダンス回路３２が構成される例を示したが、この構成に限られないのはもちろんである。例えば、第１のインピーダンス回路３１及び第２のインピーダンス回路３２をパターンコイルによって構成してもよい。
【００２６】
ここで、蛍光管用照明器具３００について説明する。図２に示すように、インバータ方式の蛍光管用照明器具３００は、電源３１０、電子回路３２０、共振コンデンサ３３０を有する。電子回路３２０は、電源３１０から供給される例えば５０Ｈｚ若しくは６０Ｈｚの交流電力を整流平滑化した後、例えば２００００〜５００００Ｈｚ程度の高周波交流電力に変換して、この高周波交流電力を発光ダイオード照明装置１に供給する。共振コンデンサ３３０は、共振回路を構成してインバータ動作を実現するための共振コンデンサであり、更に共振コンデンサ３３０を配置することによりノイズ除去の効果も奏する。共振コンデンサ３３０の値により高周波交流電力の周波数が決まる。
【００２７】
図１に示した発光ダイオード照明装置１を、図２に示すように蛍光管用照明器具３００に装着すると、例えば、第１電極ピン４１及び第３電極ピン４３が電子回路３２０と電気的に接続する。同時に、第２電極ピン４２が共振コンデンサ３３０の一方の電極に接続し、第４電極ピン４４が共振コンデンサ３３０の他方の電極に接続する。なお、第１電極ピン４１及び第３電極ピン４３が共振コンデンサ３３０に接続し、第２電極ピン４２及び第４電極ピン４４が電子回路３２０に接続してもよい。ただし、発光ダイオード１１〜１ｎの出射光が発光ダイオード照明装置１から所望の方向に出射されるように、発光ダイオード照明装置１を蛍光管用照明器具３００に装着する。
【００２８】
蛍光管用照明器具３００に装着された発光ダイオード照明装置１の動作例を以下に説明する。先ず、第１電極ピン４１と第３電極ピン４３を介して高周波交流電力が発光ダイオード照明装置１に供給される場合を説明する。
【００２９】
ここで、第１電極ピン４１から電流が流入する場合には、電流はダイオードＤ２１１を介して直流端子ｄｃ１１及び入力端子Ｐ１０１を経由して発光回路１０に流れる。そして、発光回路１０から流れ出た電流は、出力端子Ｐ１０２及び直流端子ｄｃ２２を経由した後、ダイオードＤ２２３を介して第３電極ピン４３に流れる。
【００３０】
一方、第３電極ピン４３から電流が流入する場合には、電流はダイオードＤ２２１を介して直流端子ｄｃ２１及び入力端子Ｐ１０１を経由して発光回路１０に流れる。そして、発光回路１０から流れ出た電流は、出力端子Ｐ１０２及び直流端子ｄｃ１２を経由した後、ダイオードＤ２１３を介して第１電極ピン４１に流れる。
【００３１】
次に、第２電極ピン４２と第４電極ピン４４を介して高周波交流電力が発光ダイオード照明装置１に供給される場合を説明する。第２電極ピン４２から電流が流入する場合には、電流はダイオードＤ２１２を介して直流端子ｄｃ１１及び入力端子Ｐ１０１を経由して発光回路１０に流れる。そして、発光回路１０から流れ出た電流は、出力端子Ｐ１０２及び直流端子ｄｃ２２を経由した後、ダイオードＤ２２４を介して第４電極ピン４４に流れる。
【００３２】
一方、第４電極ピン４４から電流が流入する場合には、電流はダイオードＤ２２２を介して直流端子ｄｃ２１及び入力端子Ｐ１０１を経由して発光回路１０に流れる。そして、発光回路１０から流れ出た電流は、出力端子Ｐ１０２及び直流端子ｄｃ１２を経由した後、ダイオードＤ２１４を介して第２電極ピン４２に流れる。
【００３３】
上記のように、第１電極ピン４１と第３電極ピン４３間に高周波交流電力が印加された場合であっても、第２電極ピン４２と第４電極ピン４４間に高周波交流電力が印加された場合であっても、第１の整流回路２１及び第２の整流回路２２によって蛍光管用照明器具３００が出力する高周波交流電力が全波整流されて、発光回路１０に直流電流が供給される。このため、発光ダイオード１１〜１ｎを発光させることができる。
【００３４】
ここで、図４に、蛍光管用照明器具３００に蛍光管４００を装着した例を示す。蛍光管４００のフィラメント４０１、４０２に高周波交流電力が供給され、蛍光管４００が点灯する。インバータ方式の蛍光管用照明器具３００が正常にインバータ動作するためには、図４に示すような電子回路３２０、フィラメント４０１、４０２、及び共振コンデンサ３３０を含むループ状の共振回路が必要である。したがって、蛍光管用照明器具に接続する第１電極ピン４１と第２電極ピン４２間、及び第３電極ピン４３と第４電極ピン４４間がオープンの場合は、インバータ回路が正常に動作するための共振回路が構成されず、その結果、インバータ回路が正常に動作せずに発光ダイオード１１〜１ｎが発光しない。
【００３５】
図１に示した発光ダイオード照明装置１では、第１のインピーダンス回路３１及び第２のインピーダンス回路３２が蛍光管４００のフィラメント４０１、４０２の代わりになる。つまり、図２に示したように発光ダイオード照明装置１を既存のインバータ方式の蛍光管用照明器具３００に装着した場合には、インバータ動作するために必要な共振回路が蛍光管４００を装着した場合と同様に構成される。その結果、蛍光管用照明器具３００と発光ダイオード照明装置１により、正常なインバータ動作が実現される。つまり、蛍光管用照明器具３００に装着された発光ダイオード照明装置１は、蛍光管用照明器具３００によって支持され、蛍光管用照明器具３００から供給される高周波交流電力により発光する。
【００３６】
なお、発光回路１０に含まれる発光ダイオード１１〜１ｎの直列接続される発光ダイオードの個数は、蛍光管用照明器具３００が供給する交流電圧Ｖｆに応じて設定されることが好ましい。例えば、交流電圧Ｖｆが第１電極ピン４１と第３電極ピン４３間に印加された場合に入力端子Ｐ１０１と出力端子Ｐ１０２間に生じる電圧を発光ダイオード１１〜１ｎの所望の各アノード−カソード間電圧で割った値とほぼ等しくなるように、発光回路１０に含まれる発光ダイオード１１〜１ｎの直列接続される個数を設定する。設定された個数が直列接続された複数の発光ダイオード列を、入力端子Ｐ１０１と出力端子Ｐ１０２間に互いに並列に接続してもよいことはもちろんである。
【００３７】
以上に説明したように、本発明の実施形態に係る発光ダイオード照明装置１によれば、発光ダイオード照明装置１を蛍光管の代わりに既存のインバータ方式の蛍光管用照明器具３００に装着し、正常に発光ダイオード１１〜１ｎを発光させることができる。つまり、既存のインバータ方式の蛍光管用照明器具の改造等を行わずに使用可能な発光ダイオード照明装置が提供される。
【００３８】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００３９】
既に述べた実施形態の説明においては、発光ダイオード照明装置１が直管蛍光管と同様の外観形状である場合を示したが、発光ダイオード照明装置１の外観形状が平面らせん形状や電球形状であってもよい。
【００４０】
このように、本発明はここでは記載していない様々な実施形態等を含むことは勿論である。したがって、本発明の技術的範囲は上記の説明から妥当な特許請求の範囲に係る発明特定事項によってのみ定められるものである。
【図面の簡単な説明】
【００４１】
【図１】本発明の実施形態に係る発光ダイオード照明装置の構成を示す模式図である。
【図２】本発明の実施形態に係る発光ダイオード照明装置をインバータ方式の蛍光管用照明器具に装着した例を示す模式図である。
【図３】本発明の実施形態に係る発光ダイオード照明装置の端面からみた構造を示す模式図である。
【図４】インバータ方式の蛍光管用照明器具に蛍光管を装着した例を示す模式図である。
【符号の説明】
【００４２】
１…発光ダイオード照明装置
１０…発光回路
１１〜１ｎ…発光ダイオード
２１…第１の整流回路
２２…第２の整流回路
３１…第１のインピーダンス回路
３２…第２のインピーダンス回路
４１…第１電極ピン
４２…第２電極ピン
４３…第３電極ピン
４４…第４電極ピン
１００…基板
１１０…放熱板
２００…照明カバー
２１０…第１の端子部
２２０…第２の端子部
３００…蛍光管用照明器具
３１０…電源
３２０…電子回路
３３０…共振コンデンサ
Ｄ２１１〜Ｄ２１４…ダイオード
Ｄ２２１〜Ｄ２２４…ダイオード
Ｌ１…インダクタ
Ｒ１…抵抗
【図１】
2009272154.tif 000003
【図２】
2009272154.tif 000004
【図３】
2009272154.tif 000005
【図４】
2009272154.tif 000006